(57)【要約】【課題】空気中で放電してイオンを発生するイオン発生装置を安全に搭載しつつ、イオン発生装置に埃が付着した時に簡単に清掃することができる送風装置の提供。【解決手段】ファンを駆動するモータを格納するケーシング内にイオン発生装置を設置するとともに、送風装置正面から清掃具を使用して、ファンの羽根と羽根との隙間を介してイオン発生装置を清掃できるようにした。【選択図】図４
2014181596.tif 000002
【特許請求の範囲】
【請求項１】
ファンと、ファンを駆動するモータを収容するケーシング、
及び、空気中で放電して放電電極からイオンを発生させるイオン発生装置、
を備える送風装置において、
前記イオン発生装置は、前記ケーシングに格納して設置され、
前記ケーシングは、前記イオン発生装置が発生したイオンを送出するためのイオン送出口を有することを特徴とする送風装置。
【請求項２】
前記イオン送出口は、前記モータと前記ファンとが形成する空間に位置することを特徴とする請求項１に記載の送風装置。
【請求項３】
前記放電電極は、前記イオン送出口を通じて目視可能に設置されていることを特徴とする請求項１または２に記載の送風装置。
【請求項４】
前記ファンは複数の羽根を有し、
前記イオン発生装置の放電電極は、
前記ファンの羽根と羽根との間隙から目視可能に設置されていること
を特徴とする請求項１から３に記載の送風装置。
【請求項５】
前記イオン発生装置の放電電極は針状に形成され、
その立設方向が気流送出方向であること
を特徴とする請求項１から４のいずれかに記載の送風装置。
【発明の詳細な説明】
【技術分野】
【０００１】
本発明は、イオン発生装置を備えた送風装置の構造に関する。
【背景技術】
【０００２】
イオンの浮遊菌殺菌効果や人体への生理効果がさまざまに報告されており、イオン発生装置を搭載する空気調和機や送風装置が多く販売されている。例えば、特許文献１には、首振り装置を備える扇風機において、首振り機構を格納する台部分にイオン発生装置を備えた構造が開示される。
【０００３】
また、特許文献２には、ファン駆動モータを収容しているケーシングの上部にイオン発生装置を格納する小部屋を設けた扇風機が開示される。小部屋の前後方向に開口を配して、ファンによって送出される風を小部屋内に導き、気流とともにイオンを送出する構造となっている。
【先行技術文献】
【特許文献】
【０００４】
【特許文献１】特開２００３−２９３９８４号公報
【特許文献２】特開２００５−２４０５５６号公報
【発明の概要】
【発明が解決しようとする課題】
【０００５】
扇風機は、室内で使用されるものであるが、意外にファンや使用者の安全を確保するためのファンガードに埃が溜まり易く、見た目に汚いだけではなく送風効率が低下するため、家庭において使用者がしばしば掃除をすることが必要である。このため、最近の扇風機は、ガード部分の前側が簡単に取り外しできる構造になっており、ガードを外すとファンがむき出しになる構造となっているだけでなく、ファン自体も簡単に外せるようになっているので、ガードやファンを手軽に掃除することが出来る。
【０００６】
前述のイオン発生装置を搭載した扇風機も基本的には同じ構造を有しており、ファンやガードが簡単に掃除可能な構造となっているにも拘らず、イオン発生装置は簡単に清掃できる構造となっていない。
【０００７】
これは、イオン発生装置というものが、放電電極と対向電極との間に数ｋＶ（キロボルト）の高電圧を印加して放電を起こし、イオンを発生させるものであるからで、安全を優先して、家人が簡単に触ることが出来ない構造としているのである。ファンやガードに埃が付着して掃除の必要性を感じることがしばしば有るにも拘らず、イオン発生装置に埃が付着しても掃除が出来ないのである。
【０００８】
本発明は、斯かる事情に鑑みてなされたものであり、イオン発生装置を安全に搭載しつつも、必要に応じて手軽に掃除をすることができる送風装置を提供することを目的とする。
【課題を解決するための手段】
【０００９】
本発明に係る送風装置は、モータと、該モータの出力軸に取付けられるファンと、イオン発生装置と、これらを収容するケーシングを備え、ケーシングの前部分を取り外し可能に構成するとともに、イオン発生装置を収納するケーシングには、イオンを送出するための送出口が設けられることを特徴とする。  
【００１０】
本発明にあっては、イオン発生装置を収納するケーシングに設けられる送出口は、ファンとモータとの間に形成される空間に存在することを特徴とする。
【００１１】
また、本発明にあっては、ケーシングに設けたイオン送出口からイオン発生装置のイオン発生部が視認できることを特徴とする。
【００１２】
また、本発明にあっては、ファンに設けられる複数の羽根と羽根の相互の隙間から、イオン発生装置のイオン放出部が視認できることを特徴とする。
【００１３】
また、本発明にあっては、イオン発生装置の針状の放電電極を、気流送出方向と一致するように設置することを特徴とする。
【発明の効果】
【００１４】
本発明によれば、ファンモータが格納されるケーシング内部にイオン発生装置を設けたので、イオン発生装置が無様に露出することがなく、安全であり、また、省スペース化を図ることができる。
また、本発明によれば、イオン発生装置のイオン放出部を必要に応じて、手軽に掃除することができる。
【図面の簡単な説明】
【００１５】
【図１】本実施の形態に係る送風装置の正面図である。
【図２】本実施の形態に係る送風装置の側面図である。
【図３】図１中のＩＩＩ−ＩＩＩ線における断面図である。
【図４】図３の一部拡大図である。
【図５】本実施の形態に係るイオン発生装置の外観模式図である。
【図６】本実施の形態に係る送風装置の制御系の構成を示すブロック図である。
【図７】本実施の形態に係る送風装置のイオン送出口の位置を示す斜視図である。
【発明を実施するための形態】
【００１６】
以下、本発明をその実施の形態を示す図面に基づいて具体的に説明する。図１は本実施の形態に係る送風装置１の外観正面図であり、図２はその側面図、図３は図１中のＩＩＩ−ＩＩＩ線における断面図であり、図４は図３の一部拡大図である。本実施の形態に係る送風装置１は、床置き式の扇風機として構成されている。図１〜図４では、送風装置１による送風方向が水平方向となる姿勢を示している。
【００１７】
送風装置１は、床上に載置されるスタンド１４、及びスタンド１４により回動可能に支持されるケーシング２０を備える。スタンド１４は、平面視で円形状に形成された台座部１４１と、この台座部１４１の中心より後方側から垂直に立設される支柱部１４２と、支柱部１４２の上側に設けられ、ファン１１及びファンモータ１２が収容されたケーシング２０と、ケーシング２０を回動可能に支持するケーシング支持部１４３とを備える。ケーシング２０は、空気流を発生させるためのファン１１を駆動するファンモータ１２やケーシング２０を上下方向に首振り可能とする首振り機構部３０などを収容する。
【００１８】
ケーシング２０の中央部には、ケーシング２０の上下首振り動作を可能とするための回動軸１０を水平方向に有し、ケーシング支持部１４３は、この回動軸１０を軸支する左右一対の軸受け部を備える。ケーシング２０内には、首振りモータ３１を備えた首振り機構部３０が設けられており、首振りモータ３１による駆動力を減速ギヤ３２などの複数のギヤを介して回動軸１０に伝達し、回動軸１０の回りにケーシング２０を回動させることによって、ケーシング２０を上下方向へ首振りさせ、ファン１１による送風方向を上下方向に変化させる。
【００１９】
ケーシング支持部１４３は、支柱部１４２に対して垂直方向に移動可能に構成されており、支柱部１４２に設けられたボタン１４３ａを操作することで、ケーシング支持部１４３を上下動させ、ケーシング２０の高さを設定することができるように構成されている。また、ケーシング支持部１４３は、支柱部１４２に対して左右方向に回動可能に軸支される。これにより、ケーシング２０の左右方向の首振りを可能とし、ファン１１による送風方向を左右方向に変化させることができる。送風装置１は、左右方向の首振りを自動で行わせるために、ケーシング支持部１４３の下部に、ケーシング支持部１４３を支柱部１４２の軸長方向の回りに回動させるためのモータ１４３ｂを備える。
【００２０】
送風装置１のファン１１は、例えば、３枚の羽根部材を備え、ファンモータ１２の出力軸１２１に固定具１１ｂで取付けられる。ファン１１は、ファンモータ１２により駆動されることによって、所定方向、例えば、正面から見て時計回りに回転し、ファンモータ１２とは反対側への空気流を発生させる。すなわち、図２に示した側面図において、ファン１１により発生する空気流は、ファン１１よりも左側へ送出されるように構成されている。以下では、送風方向の下流側をケーシング２０の前方、送風方向の上流側をケーシング２０の後方とする。
【００２１】
ケーシング２０は、ファンモータ１２及び上下方向の首振り機構部３０が設けられるモータハウジング部２１、ファン１１の外周及び後方を覆うファンガード部２２、並びにファン１１の前方を覆う前ガード部２３により構成される。モータハウジング部２１及びファンガード部２２は一体的に形成され、前ガード部２３はファンガード部２２に着脱可能に取付けられる。
【００２２】
モータハウジング部２１は、ファンモータ１２を収容する第１収容部２１１、及び首振り機構部３０を収容する第２収容部２１２を備える。また、本実施の形態に係る送風装置１は、イオン発生装置４０を備えており、モータハウジング部２１は、前記第１収容部２１１及び第２収容部２１２に加えて、イオン発生装置４０を収容するための第３収容部２１３を備える。
【００２３】
第１収容部２１１は、モータハウジング部２１の前方側中央付近に設けられ、ファンモータ１２の出力軸１２１をファンガード部２２の側へ突出させる開口部２１１ａを備える。ファンモータ１２は、出力軸１２１が開口部２１１ａより前方へ突出した状態で第１収容部２１１内に固定される。
【００２４】
第２収容部２１２は、モータハウジング部２１の後方側中央付近、第１収容部２１１の後方に設けられ、その内部に、ケーシング２０を上下方向に回動させる首振り機構部３０を収容する。本発明では、ファン１１の取り付け側とは反対側へファンモータ１２から離隔した位置、すなわち、ファンモータ１２の後方に、ケーシング２０の回動軸１０を配置してある。
【００２５】
第３収容部２１３は、モータハウジング部２１の前方側上部、第１収容部２１１の上側に設けられ、その内部にイオン発生装置４０を収容する。第３収容部２１３の前壁はモータハウジング部２１の前壁２１aと一体である。第３収容部２１３の後ろ側は物が入らないように閉止されており、モータハウジング部２１がひさし状に後方へ延長された部分２１ｂとの間に空間を生じ、この空間は送風装置１を持ち運ぶときの把持部分となっている。また、第３収容部２１３の前壁には、イオン発生装置４０が発生したイオンを送り出すためのイオン送出口２１３aが設けられている。
【００２６】
ファンガード部２２は、前方側に正面視で円形状の開口縁部２２１を有し、この開口縁部２２１を通じて前ガード部２３が着脱可能に取付けられるように構成されている。また、ファンガード部２２の後方側には、前述したモータハウジング部２１が一体的に形成されている。ファンガード部２２の外周部及び後方部には、スリット２２２が設けられており、ファン１１の駆動時には、スリット２２２を通じてファンガード部２２の内部に装置外部の空気を取り込み、ファン１１の回転により空気流を発生させるように構成されている。
【００２７】
前ガード部２３は、正面視で円形状に形成されており、図１に示すように、中心から放射状に設けられる多数の風切り部材２３１，２３１，２３１，…を備える。送風装置１は、ファン１１によって前方外側へ拡散しようとする風の向きを前ガード部２３に設けた風切り部材２３１により変更し、送風方向の直進性を高めるように構成されている。
【００２８】
前ガード部２３は、ファンガード部２２の開口縁部２２１の外径より少しだけ大きな外径を有する開口縁部を有する。この開口縁部の内周面には複数の係止溝が周方向に形成される。また、ファンガード部２２の前方側の開口縁部２２１には、係止溝と同じ数だけの係止突起が形成される。使用者は、前ガード部２３側の係止溝とファンガード部２２側の係止突起とを位置合わせして、前ガード部２３側の係止溝をファンガード部２２側の係止突起に挿入し、前ガード部２３を周方向に回すことによって両者を係合させ、ファンガード部２２への前ガード部２３の取付けを行う。
【００２９】
また、前ガード部２３は、前ガード部２３の外周面の内径より小さな直径の区画壁２３３を有し、区画壁２３３は外周面と対向するように環状に設けられる。この区画壁２３３の内径は、図１に示すように、ファン１１の外径よりも大きくなるように構成されている。ファン１１の回転によって発生する空気流は、この区画壁２３３の内側を通り、送風装置１の外部へ送出される。
【００３０】
一方、前ガード部２３の嵌合部と区画壁２３３とによって形成される環状の隙間は、送風装置１の外側からケーシング２０内部へ空気が流れ込む開口部となる。すなわち、本実施の形態においては、ファン１１による下流方向への空気流と、装置外部から流れ込む上流方向への空気流とを区画壁２３３によって分離する構成としている。これにより、装置外部から流れ込む空気流とファン１１による下流方向への空気流との間の干渉が軽減されるので、ファン１１による送風流が弱められたり、送風方向の直進性が低下したりすることが回避される。
【００３１】
図５は、本発明で使用するイオン発生装置４０の形状を示す外観斜視図である。イオン発生装置４０は、筐体４０ａとイオン発生部４０ｂ、４０ｃを有する。 筐体４０ａには、外部から電力供給を受けて、イオン発生部４０ｂ、４０ｃに供給する高圧電気を発生する駆動回路が格納されている。イオン発生部４０ｂ、４０ｃは基本的に同じ構造をしており、中心にある針状の放電電極４０１ｂ、４０１ｃと、これを取り囲むように配置された穴明き平板で形成される対向電極４０２ｂ、４０２ｃと、これらを支持する基板から構成される。
【００３２】
駆動回路によって高圧電気を印加されたイオン発生部４０ｂ、４０ｃでは、放電電極４０１ｂ、４０１ｃの先端部から対向電極４０２ｂ、４０２ｃに向かって放電が起こり、空中の気体分子がイオン化して様々なイオンが発生する。本発明で使用するイオン発生装置４０では、放電電極４０１ｂ、４０１ｃの先端部は、金属平板である対向電極４０２ｂ、４０２ｃの表面から突出しないように配置されているため、発生したイオンは、放電電極４０１ｂ、４０１ｃの先端部方向に向かって加速されて放出される。
【００３３】
本実施形態で使用するイオン発生装置４０は、イオン発生部４０ｂから正イオンＨ＋（Ｈ２Ｏ）m（mは任意の自然数)、イオン発生部４０ｃから負イオンＯ２−（Ｈ２Ｏ）ｎ（ｎは任意の自然数)を発生する。正イオンＨ＋（Ｈ２Ｏ）m（mは任意の自然数)と負イオンＯ２−（Ｈ２Ｏ）ｎ（ｎは任意の自然数)を発生させて放出する場合には、空気中に浮遊する細菌やウイルスの表面に正イオンと負イオンが付着して化学反応を起こし、活性種である水酸基ラジカル・ＯＨや過酸化水素Ｈ２Ｏ２を生じて、この酸化力によって細菌やウイルスが活性を失う。
【００３４】
イオン発生装置４０から発生した正負イオンは、放電電極４０１ｂ、４０１ｃの先端方向に加速され、第３収容部２１３の前壁に設けられたイオン送出口２１３ａからファンガード部２２内部へ進行する。ファンガード部２２内部へ進行したイオンは、ファン１１によって生じた気流に乗って前ガード２３に設けられた複数の風切り部材２３１の間から室内へと移送される。
【００３５】
図６は本実施の形態に係る送風装置１の制御系の構成を示すブロック図である。送風装置１は、操作部１０１、リモコン信号受信部１０２、制御部１０３、第１モータドライバ１０４及び第２モータドライバ１０５、ファンモータ１２、首振りモータ３１、イオン発生装置４０及びイオン発生電源部１０６を備える。なお、図６においては、左右方向の首振りを行わせるための制御系の構成については図示していない。
【００３６】
操作部１０１は、例えば台座部１４１の正面側に設けられ、各種の操作ボタンを備える。操作部１０１が備える操作ボタンには、送風を開始又は停止させる運転ボタン、風量を調節させる風量ボタン、ケーシング２０の上下方向の首振りを開始又は停止させる上下首振りボタン、ケーシング２０の左右方向の首振りを開始又は停止させる左右首振りボタン、タイマー運転時間を設定するタイマーボタン、イオン発生装置４０の動作を開始又は停止させるイオンボタン等が含まれる。運転ボタン以外のボタンは、送風装置１の運転中にユーザの操作により何れかの操作ボタンが押下された場合、操作部１０１は、その旨を示す信号を制御部１０３へ出力する。運転ボタンは、送風装置1が停止中であっても運転開始のための入力を受け付けるように構成される。
【００３７】
リモコン信号受信部１０２は、図に示していないリモートコントローラ（リモコン）から送信される赤外線信号を受信する。リモートコントローラには、操作部１０１と同様に、送風を開始又は停止させる運転ボタン、風量を調節させる風量ボタン、ケーシング２０の上下方向の首振りを開始又は停止させる上下首振りボタン、ケーシング２０の左右方向の首振りを開始又は停止させる左右首振りボタン、イオン発生装置４０の動作を開始又は停止させるイオンボタンなどが含まれる。ユーザの操作により何れかの操作ボタンが入切された場合、リモートコントローラは、その旨を示す赤外線信号を送信する。リモコン信号受信部１０２は、リモートコントローラからの赤外線信号を受信した場合、赤外線信号をデコードし、リモートコントローラによる操作に応じた信号を制御部１０３へ出力する。
【００３８】
制御部１０３は、例えばマイクロプロセッサを備える。制御部１０３は、操作部１０１又はリモコン信号受信部１０２から出力される信号を受信した場合、受信した信号に応じた制御を行う。例えば、制御部１０３は、停止中に送風開始指示を示す信号を操作部１０１又はリモコン信号受信部１０２から受信した場合、ＤＣモータであるファンモータ１２の駆動開始を指示する制御信号を第１モータドライバ１０４へ出力する。この制御信号を受信した第１モータドライバ１０４は、ファンモータ１２への電流をオンし、ファンモータ１２の駆動を開始する。
【００３９】
また、制御部１０３は、送風運転中に送風停止指示を示す信号を操作部１０１又はリモコン信号受信部１０２から受信した場合、ファンモータ１２の駆動停止を指示する制御信号を第１モータドライバ１０４へ出力する。この制御信号を受信した第１モータドライバ１０４は、ファンモータ１２への電流をオフし、ファンモータ１２の駆動を停止する。
【００４０】
また、制御部１０３は、停止中に送風開始指示を示す信号を操作部１０１又はリモコン信号受信部１０２から受信した場合、ファンモータ１２の運転とともにイオン発生装置４０へ電源供給するイオン発生電源部１０６へ信号を出力する。この制御信号を受信したイオン発生電源部１０６は、イオン発生装置４０へ電力を供給する。イオン発生装置４０は、電力供給によって内部の駆動回路が高電圧を発生してイオン発生部４０ｂ、４０ｃへ印加する。こうして、イオン発生装置４０は正イオン及び負イオンの放出を開始する。
【００４１】
また、制御部１０３は、送風運転中に送風停止指示を示す信号を操作部１０１又はリモコン信号受信部１０２から受信した場合、ファンモータ１２の運転停止とともにイオン発生装置４０へ電源供給するイオン発生電源部１０６へ運転停止信号を出力する。この制御信号を受信したイオン発生電源部１０６は、イオン発生装置４０へ電力供給を停止する。これによって、イオン発生装置４０は正イオン及び負イオンの放出を停止する。
【００４２】
イオン発生装置４０の制御と同様に、制御部１０３は、ファンモータ１２の運転中に上下方向の首振り開始指示を示す信号を操作部１０１又はリモコン信号受信部１０２から受信した場合、ステッピングモータである首振りモータ３１の駆動開始を指示する制御信号を第２モータドライバ１０５へ出力する。この制御信号を受信した第２モータドライバ１０５は、首振りモータ３１の出力軸を正方向へ所定角度だけ回転させるパルス信号と逆方向に所定角度だけ回転させるパルス信号とを交互に出力し、首振りモータ３１による上下方向のケーシング２０の首振りを実施させる。
【００４３】
なお、制御部１０３は、ファンモータ１２の運転中に上下方向の首振り停止指示を示す信号を操作部１０１又はリモコン信号受信部１０２から受信した場合、首振りモータ３１の駆動停止を指示する制御信号を第２モータドライバ１０５へ出力する。このとき、第２モータドライバ１０５は、首振りモータ３１を駆動するためのパルス信号の出力を停止する。
【００４４】
以上のほか、制御部１０３は、ファンモータ１２の運転中に各種動作の開始指示を示す信号を操作部１０１又はリモコン信号受信部１０２から受信した場合、各種機能の駆動開始を指示する。同様に、ファンモータ１２の運転中に各種機能の停止または解除を示す信号を操作部１０１又はリモコン信号受信部１０２から受信した場合、各種機能の停止または解除を実施する。ファンモータ１２の駆動または停止は、各種機能の駆動または停止に優先して実行される。
【００４５】
上記のように構成された送風装置１の清掃について説明する。図３および図４に示すように、イオン発生装置４０は、モータハウジング部２１の前壁２１ａを上方に延伸した面にイオン送出口２１３ａ、２１３ａを備えて設置されており、放出されたイオンは、イオン送出口２１３ａ、２１３ａを通過してファンガード部２２とファン１１との間の空間に至る。さらにイオンは、ファン１１に備えられた複数の羽根によってイオン送出口２１３ａ、２１３ａから掻き取られるようにしてファン１１の前方へ送られ、前ガード部２３に設けた風切り部材２３１の隙間から送出気流とともに室内へと送出される。
【００４６】
モータハウジング部２１の前壁２１ａにイオン送出口２１３ａ、２１３ａが設けられているため、イオン発生装置４０から放出されたイオンは、放出後すぐにファン１１によって前方に送り出される。使用者によって左右首振り動作や上下首振り動作が行われても、イオン発生装置４０から放出されたイオンは、発生後間もなくファンモータ１２の出力軸１２１の先端方向へ送出されるので、送風装置１の気流送出方向へ高濃度のままのイオンを到達させることが出来る。
【００４７】
送風装置１の使用累計時間が長くなると、ファンガード部２２及び前ガード部２３やファン１１への埃付着が目立つようになってくる。このように掃除が必要とされる状態となったときには、前ガード部２３を反時計方向に所定角度回転させると、ファンガード部２２との係止部が外れ、前ガード部２３は簡単に取り外せる。このようにして前ガード部２３を外した状態を図７に示す。前ガード部２３に付着した埃は、内側から流水を当てるか雑巾などで拭き取ることで清掃が出来る。
【００４８】
また、同様に、使用累計時間が長くなるとイオン発生装置４０の放電電極４０１ｂ、４０１ｃの先端部にも埃が付着することがある。図７に示すように、前ガード部２３を外すと、ファン１１の複数の羽根の間隙からイオン送出口２１３ａ、２１３ａが横方向に２個並んで見ることが出来る。ファンモータ１２が収納されるモータハウジング部２１の前壁２１ａ表面とファン１１の間は２ｃｍ程度、ファン１１の羽根と羽根の間隔は５〜６ｃｍ程度あって、ファン１１を取り外すことなくイオン送出口２１３ａ、２１３ａに触れることが出来る。このような状態で、綿棒などでイオン送出口２１３ａ、２１３ａの奥にある放電電極４０１ｂ、４０１ｃを掃除することが出来るので、手軽に掃除が可能である。
【００４９】
制御特性上、送風装置１の運転が指示されるとファン１１が回転するので、あらかじめ電源コード（図示せず）を抜いておくか、または、操作部１０１にある運転ボタンを操作して停止状態にしておくことが必要であるが、停止状態であればファン１１が回転しないだけではなくイオン発生装置４０への通電も阻止されており、安全に清掃作業が行える。
【００５０】
また、ファン１１は、固定具１１ｂでファンモータの出力軸１２１に締結されているだけなので、固定具１１ｂを外せばファン１１も簡単に取り外せる。この場合には、イオン送出口２１３ａ、２１３ａが全面に露出された状態となるので、さらに確実に放電電極４０１ｂ、４０１ｃの清掃が可能になる。
【００５１】
また、ファン１１および前ガード部２３を取り外さない場合でも、イオン送出口２１３ａ、２１３ａをファン１１の羽根と羽根との間に見ることが出来るので、持ち手の長い綿棒などで前ガード２３の風切り部材２３１の隙間から放電電極４０１ｂ、４０１ｃの清掃が可能である。
【００５２】
本発明の構造では、イオン発生装置４０の直ぐ前方にはモータハウジング部２１の前壁２１ａがあり、前壁２１ａは同時に第３収納部２１３の前壁でもあるので、ファン１１の回転によって前壁２１ａの表面には、ファンの回転と同じ方向に気流が発生している。この気流は、イオン送出口２１３ａ、２１３ａから侵入して放電電極４０１ｂ、４０１ｃに衝突し、再びイオン送出口２１３ａ、２１３ａから出て、最終的にはファン１１が送出する送風気流とともに送風装置１の前方に送られる。このため、従来の扇風機よりも激しい気流がイオン発生器にもたらされるため、放電電極４０１ｂ、４０１ｃへの埃の付着が抑制される。
【００５３】
また、イオン送出口２１３ａ,２１３aの前面をファン１１の羽根が通過するときと、羽根と羽根との隙間が通過する時では、イオン送出口２１３ａ,２１３aにかかる気圧が変動するためにファン１１の回転に伴って空気振動が発生し、これによっても放電電極４０１ｂ、４０１ｃへの埃の付着が抑制される。このため、使用者のメンテナンスの必要性が低減されるだけでなく、メンテナンスに伴ってイオン発生装置４０の放電電極４０１ｂ、４０１ｃが毀損される可能性も低減することが出来る。
【００５４】
以上の説明において、送風装置１のファン１１が有する羽根の枚数を３枚として説明したが、羽根と羽根との間に清掃用具を差し込める隙間があればよいので、羽根の枚数には制限されない。また、イオン発生装置を針状の放電電極を有するものとしているが、綿棒などで清掃可能な構造を有していればよいので、特に構造を制限するものでもない。
【００５５】
上述した実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。また、本発明の効果がある限りにおいては、送風装置１に、実施の形態に開示されていない構成要素が含まれていてもよい。
【符号の説明】
【００５６】
１    送風装置
１１  ファン
１２  ファンモータ
１４  スタンド
２０  ケーシング
４０  イオン発生装置
【図１】
2014181596.tif 000003
【図２】
2014181596.tif 000004
【図３】
2014181596.tif 000005
【図４】
2014181596.tif 000006
【図５】
2014181596.tif 000007
【図６】
2014181596.tif 000008
【図７】
2014181596.tif 000009